(57)【要約】      （修正有）【課題】鉛筆の先端の尖り度を調節可能にするとともに、切削作業終了時に振動と音が発生し作業が終了したという明確なフィードバック信号をユーザーに提供する。【解決手段】回転ノブ５０は屑箱１０の搭載孔１１１に回転可能に搭載され、屑箱１０の位置決め部品と選択的に係合する少なくとも１つの係合部品５３２を持っている。調節シャフト６０は回転ノブ５０に固定して接続され、ブロッキングチャンク３０上に設けられる。回転ノブ５０が回転すると、調節シャフト６０が回転し、ブロッキングチャンク３０を押し出してブレード台２０の軸方向に沿って移動させる。回転ノブ５０の少なくとも１つの係合部品５３２と屑箱１０の位置決め部品間の係合により振動と音が発生する。【選択図】図２
2014008778.tif 000002
【特許請求の範囲】
【請求項１】
屑箱であって、前記屑箱内に画成した搭載孔および内部壁を有し、かつ前記搭載孔の前記内部壁上に形成した多数の位置決め部品を有する屑箱と、
前記屑箱内に搭載され、かつ底部を有するブレード台と、
前記ブレード台の軸方向に沿って移動可能に前記ブレード台の前記底部上に搭載したブロッキングチャンクと、
前記ブレード台上に固定して搭載したブレードと、
前記屑箱の前記搭載孔内に回転可能に搭載され、かつ少なくとも１つの係合部品を有する回転ノブであって、前記少なくとも１つの係合部品の各々が前記屑箱の前記位置決め部品の１つと選択的に係合する回転ノブと、
前記回転ノブに固定して接続され、かつ前記ブロッキングチャンクの前記底部上に設けた調節シャフトであって、前記回転ノブが回転すると、前記調節シャフトが、前記ブロッキングチャンクを押し出して前記ブレード台の前記軸方向に沿って移動させる調節シャフトと
を備える鉛筆削り機。
【請求項２】
前記回転ノブは、
前面部と、
背面部と、
前記前面部上に形成され、かつ前記屑箱の外表面から露出した作業リブと、
前記背面部上に形成され、かつ前記背面部から突出するとともに、前記屑箱内の搭載孔を介して回転可能に搭載された少なくとも１つの接続タブであって、前記少なくとも１つの接続タブの各々は外表面および前記接続タブの１つの端部上に形成した保持ブロックを有するとともに、前記搭載孔の縁部と係合する接続タブと
を有し、
前記少なくとも１つの係合部品は、前記少なくとも１つの接続タブの前記外表面上にそれぞれ形成されている請求項１に記載の鉛筆削り機。
【請求項３】
前記調節シャフトは、
前記回転ノブに固定して接続されたシャフトボディと、
前記シャフトボディの１つの端部に固定して接続され、かつ前記ブロッキングチャンクを押し出して移動させることが可能な外周面を有する調節ホイールと
を有し、
前記外周面上の少なくとも２つの位置から前記シャフトボディに対する径方向距離が互いに異なる請求項１又は２に記載の鉛筆削り機。
【請求項４】
前記屑箱は、前記屑箱内に画成した制限リセスを有し、
前記調節ホイールは、前記調節ホイールの前記外周面上に前記外周面から突出するように形成され、かつ前記屑箱内の前記制限リセス内に保持された制限ブロックを有する請求項３に記載の鉛筆削り機。
【請求項５】
前記ブレードは、
前記ブレード台を介して長手方向に画成した鉛筆挿入孔と、
前記ブレード台の前記底部上に前記底部から突出するとともに前記鉛筆挿入孔の底部端と連通するように形成された制限カラーと
を有する請求項４に記載の鉛筆削り機。
【請求項６】
前記制限カラーは、前記制限カラー内に画成した溝を有し、かつ前記ブロッキングチャンクは中間部と２つの端部を有し、前記ブロッキングチャンクの中間部が前記制限カラー内の溝を貫通できるように前記中間部は前記端部の直径より小さい直径を有する請求項５に記載の鉛筆削り機。
【請求項７】
前記屑箱はさらに、前記搭載孔の周囲に配置され、かつ鋭い又は鈍い先端に対応する形状をそれぞれ持つ前記屑箱の前記外表面上に設けた多数の指示部材を有し、
前記回転ノブ上の前記作業リブは、前記屑箱上の前記指示部材の１つに選択的に対応する請求項５に記載の鉛筆削り機。
【請求項８】
前記回転ノブは、前記回転ノブの背面部に形成した非円形の形状の係合リセスを有し、
前記調節シャフトの前記シャフトボディは、非円形の断面を有し、かつ前記回転ノブ内の前記係合リセスに挿入される請求項７に記載の鉛筆削り機。
【請求項９】
前記屑箱は、
互いに組み合わされた前面ケーシングと背面ケーシングと、
前記前面および背面ケーシング間の連結部に延伸するように画成した側面リセスと、
前記側面リセスに対向して、前記屑箱の側面にある前記前面および背面ケーシング間の前記連結部に画成した側面開口と、
前記側面開口近傍の位置にある前記前面ケーシングと前記背面ケーシングに旋回軸で接続した側面カバーと
を有し、
前記搭載孔と前記指示部材が前記前面ケーシング上に設けられた請求項８に記載の鉛筆削り機。
【請求項１０】
前記前面及び背面ケーシングの各々は、互いに位置が対応する滑り止め部品を有する請求項９に記載の鉛筆削り機。
【請求項１１】
２つの指示部材が前記屑箱の外表面上に設けられ、かつ前記指示部材の一方は鈍い先端形状を持ち前記他方の指示部材は鋭い先端形状を持つ請求項７乃至１０のいずれかに記載の鉛筆削り機。
【請求項１２】
前記調節ホイールの前記外周面は頭部部品と少なくとも１つの側面部品を有し、
前記頭部部品から前記シャフトボディの軸線までの径方向距離が前記少なくとも１つの側面部品の各々から前記シャフトボディの前記軸線までの径方向距離より長い請求項３乃至１１のいずれかに記載の鉛筆削り機。
【請求項１３】
前記調節シャフトの前記調節ホイールの前記頭部部品は平らな表面で、かつ前記調節ホイールの前記少なくとも１つの側面部品は曲がった表面であり、
前記平らな表面から前記シャフトボディの前記軸線までの径方向距離が前記少なくとも１つの曲がった表面の各々から前記シャフトボディの前記軸線までの径方向距離より長い請求項１２に記載の鉛筆削り機。
【請求項１４】
前記屑箱は４つの位置決め部品を有し、
前記回転ノブは、前記屑箱の２つの前記位置決め部品と選択的に係合する係合部品を有する請求項１乃至１３のいずれかに記載の鉛筆削り機。
【請求項１５】
前記屑箱の各位置決め部品は空洞であり、かつ前記回転ノブの各係合部品は突起である請求項１乃至１４のいずれかに記載の鉛筆削り機。
【発明の詳細な説明】
【技術分野】
【０００１】
この発明は、鉛筆削り機に関し、更には特に、鉛筆先端の尖り度を調節するとともに、調節作業が終了したときに、ユーザーに明確な信号を提供する能力を持つ調節可能な鉛筆削り機に関するものである。
【背景技術】
【０００２】
鉛筆削り機は、鉛筆を削ることにより筆記用の鉛筆芯を露出させ鋭くすることができる。異なる要求に適合させるために、調節可能な鉛筆削り機は、鉛筆の先端の尖り度を調節するために供される。図７に示すように、台湾実用新案番号M384109：“Pencil Lead Sharpener Having Two Operation Stages” という名称の従来の鉛筆削り機は、屑箱70、第１のブレード台71、第２のブレード台72、カム73、および回転ボード74を備えている。第１のブレード台71、第２のブレード台72およびカム73は、屑箱70内に搭載されている。第２のブレード台72は、第１のブレード台71の底部に、底部に対して軸方向に移動可能に搭載されている。カム73は、カム73の頭部に、頭部から異なる長さの高さで突出するように形成した多数の押し出し突起731を有しており、第２のブレード台72は、カム73上に押し出し突起731の１つに当接する底部を有している。回転ボード74は、屑箱70に露出して搭載されるとともにカム73に接続されている。回転ボード74が回転すると、カム73が回転し、第１のブレード台71に対して軸方向に移動するように第２のブレード台72を押し出すことができる。これにより、第１及び第２のブレード台71、71間の相対的軸距離を変化させることができ、鉛筆の先端を様々の尖り度に削ることが可能となる。
【発明の概要】
【発明が解決しようとする課題】
【０００３】
しかしながら、従来の鉛筆削り機には次のような欠点がある。回転ボード74が鉛筆先端の尖り度を調節するために回転するとき、従来の鉛筆削り機は、ブレード台71、72を位置決めして調節作業が終了したことを示す明確なフィードバック信号をユーザーに提供できない。回転ボード74はオーバー回転するかもしれないし、あるいは回転ボード74をどの方向に回転すべきかユーザーが混乱する。そのため従来の鉛筆削り機は使用するときに不便である。
【０００４】
この短所を克服するため、本発明は前述した問題を緩和するあるいは未然に防止する鉛筆削り機を提供することを目指すものである。
【課題を解決するための手段】
【０００５】
本発明の主な目的は、鉛筆の先端の尖り度を調節できる調節可能な鉛筆削り機を提供することである。回転ノブ上の少なくとも１つの係合部品と屑箱上の位置決め部品間の係合により振動と音が発生し、調節作業が終了したという明確なフィードバック信号をユーザーに提供する。
【０００６】
前述した目的を達成するために、本発明の鉛筆削り機は、屑箱、ブレード台、ブロッキングチャンク、ブレード、回転ノブおよび調節シャフトを有している。屑箱は搭載孔および多数の位置決め部品を有している。搭載孔は、屑箱内に画成され内部壁を有している。位置決め部品は、搭載孔の内部壁上に形成される。ブレード台は屑箱内に搭載され、底部を持つ。ブロッキングチャンクは、ブレード台の底部にブレード台の軸方向に沿って移動可能に搭載され、底部を持つ。ブレードはブレード台に固定して搭載される。回転ノブは搭載孔内に回転可能に搭載され、選択的に屑箱の位置決め部品と係合する少なくとも１つの係合部品を有している。調節シャフトは回転ノブに固定して接続され、ブロッキングチャンクの底部に設けられ、ブロッキングチャンクの底部に当接する。回転ノブが回転すると、調節シャフトが回転し、軸方向に移動するようにブロッキングチャンクを押し出す。
【０００７】
本発明に基づく鉛筆削り機によれば、調節シャフトを回転するための回転ノブを回転させることにより、ブレード台に対するブロッキングチャンクの軸位置を変更することが可能となる。従って、削った鉛筆に種々の削り効果を付与することができる。回転ノブの少なくとも１つの係合部品と屑箱の位置決め部品間の係合により発生した振動と音により、調節作業が終了したという明確なフィードバック信号をユーザーに提供する。これにより、丸み度又は尖り度のような鉛筆先端の削り状態を実際に制御できまた認識できる。
【０００８】
本発明のほかの目的、長所および新規な特徴は、付随する図に関連させた以下の詳細な説明によりさらに明白になる。
【図面の簡単な説明】
【０００９】
【図１】図１は、本発明に基づく鉛筆削り機の斜視図である。
【図２】図２は、図１の鉛筆削り機の分解斜視図である。
【図２Ａ】図２Ａは、図２の鉛筆削り機にある調節シャフトの拡大端図である。
【図３】図３は、図１の鉛筆削り機の別の分解斜視図である。
【図４】図４は、図１の鉛筆削り機の部分断面の側面図である。
【図５】図５は、前面ケーシングを取外し、第１の作業ステージにおける鉛筆削り機を示した図１の鉛筆削り機の機能斜視図である。
【図６】図６は、前面ケーシングを取外し、第２の作業ステージにおける鉛筆削り機を示した図１の鉛筆削り機の別の機能斜視図である。
【図７】図７は、台湾実用新案番号M384109の鉛筆削り機の機能斜視図である。
【発明を実施するための形態】
【００１０】
図1から4において、本発明に基づく鉛筆削り機は、屑箱10、ブレード台20、ブロッキングチャンク30、ブレード40、回転ノブ50および調節シャフト60を備えている。
【００１１】
屑箱10は、平たい卵形の空洞であり、前面ケーシング11、背面ケーシング12、および側面カバー13を備えている。前面ケーシング11は、搭載孔111、多数の表示部材113、組立部品114および滑り止め部品14を有している。搭載孔111は、前面ケーシング11の底部近傍位置で前面ケーシング11を介して画成されている。搭載孔111は、内部壁および搭載孔111の内部壁上に環状に配列して形成した多数の位置決め部品112を持っている。指示部材113は、前面ケーシング11の外部表面上に搭載孔111の周囲に配列して設けられ、鋭い先端あるいは鈍い先端のような、それぞれ削り効果に対応する形状を持っている。組立部品114は、前面ケーシング11の内部表面上に設けられる。滑り止め部品14は、逆トライアングルの形状で、前面ケーシング11の頭部近傍の外部表面上に形成される。背面ケーシング12は、前面ケーシング11と組み合わされるとともに組立部品121、制限リセス122および滑り止め部品14を備えている。組立部品121は、背面ケーシング12の内部表面上に形成され、前面および背面ケーシング11、12を一緒に組み合わせるために、前面ケーシング11の組立部品114と組み合わされている。制限リセス122は、背面ケーシング12近傍の内部表面内に画成され、制限リセス122の２つの端部上にそれぞれ２つの端壁を持っている。滑り止め部品14は、逆トライアングルの形状で、背面ケーシング12の頭部近傍の外部表面上に形成され、位置的に前面ケーシング11の滑り止め部品14に対応する。加えて、屑箱10はさらに、頭部開口、側面リセス15および側面開口を持っている。頭部開口は屑箱10の頭部内にある前面および背面ケーシング11、12間の連結部に画成される。側面リセス15は細長く延伸し、屑箱10の側面にある前面および背面ケーシング11、12間の連結部に画成される。側面リセス15の配列により、屑箱10はユーザーの手で使い勝手がよい。側面開口は、前面および背面ケーシング11、12間の連結部に画成され、側面リセス15に対する屑箱10の側面にある。側面カバー13は、側面開口を被うために、サイド開口近傍の位置で旋回するように前面ケーシング11および背面ケーシング12に接続している。側面カバー13が旋回し、側面開口に対して開口すると、屑箱10に集めた切片を側面開口から放出できる。好適には、側面カバー13は、側面カバー13の底部に設けた旋回スリーブ131を持っている。前面および背面ケーシングの各々は、側面開口に隣接する位置にあるケーシング11、12の底部近傍の内部表面上に形成した旋回支柱を持っている。側面カバー13が前面および背面ケーシング11、12と旋回して接続されるように、旋回スリーブ131の２つの端部は、前面および背面ケーシング11、12上の旋回支柱まわりにそれぞれ搭載される。
【００１２】
ブレード台20は、屑箱10内に搭載され、鉛筆挿入孔21と制限カラー22を持っている。鉛筆挿入孔21は、ブレード台20を長手方向に介して画成され、屑箱10の頭部開口に対応する。制限カラー22は、ブレード台20の底部上に形成され、底部から突出し、鉛筆挿入孔21の底部端と連通している。制限カラー22は、鉛筆挿入孔21の中心と軸が揃った中心を有する。加えて、制限カラー22は制限カラー22内に画成した溝を有する。
【００１３】
ブロッキングチャンク30は、ブレード台20上に、制限カラー22を介してブレード台20の軸方向に沿って移動可能に搭載される。ブロッキングチャンク30は、中間部、底部および２つの端部を有しており、中間部の直径は端部の直径より小さい。好適な実施例では、ブロッキングチャンク30を制限カラー22内に配置するために、ブロッキングチャンク30の中間部は制限カラー22の溝を貫通可能である。
【００１４】
ブレード40は、ブレード台20の側面に固定して搭載され、鉛筆挿入孔21内に延伸する刃先を持っている。
【００１５】
回転ノブ50は、搭載孔111を介して屑箱10上に回転可能に搭載され、前面側、背面側、作業リブ51、係合リセス52および少なくとも１つの接続タブ53を備える。作業リブ51は、回転ノブ50の前面側に形成され、屑箱10の外部表面から露出し、選択的に屑箱10上の指示部材113の１つに対応する。係合リセス52は、非円形の形状で、回転ノブ50の背面側の中心部に形成されている。少なくとも１つの接続タブ53が、回転ノブ50の背面側に、背面側から突出して形成されるとともに係合リセス52の周囲に配置される。少なくとも１つの接続タブ53の各々は弾性があり、自由端、保持ブロック531および係合部品532を持っている。保持ブロック531は接続タブ53の自由端に形成され、自由端から外側に突出している。係合部品532は、接続タブ53の外部表面上に形成される。少なくとも１つの接続タブ53は、搭載孔111を介して屑箱10内に回転可能に搭載され、少なくとも１つの接続タブ53の各々の保持ブロック531は、屑箱10内の搭載孔111の端部と係合する。これにより、回転ノブ50は、屑箱10上に回転可能に搭載される。加えて、少なくとも１つの接続タブ53の各々の部品532は、選択的に搭載孔111内の位置決め部品112の１つと係合する。係合部品532が対応するある位置決め部品112から外され、ほかのある位置決め部品112に入ると、振動および音が発生する。
【００１６】
調節シャフト60は、シャフトボディ61および調整ホイール62を備える。シャフトボディ61は非円形の断面で２つの端部を有する。シャフトボディ61の一方の端部は、回転ノブ50の係合リセス52に挿入されて係合リセスと固定して係合し、他方の端部は調整ホイール62と接続される。調節ホイール62はブロッキングチャンク30の底部上に設けられ、外周面を持つ。さらに図２Aにおいて、調節ホイール62の外周面はブロッキングチャンク30の底部と当接し、調節ホイール62の外周面上の少なくとも２つの位置からシャフトボディ61の軸線Lまでの径方向距離は互いに異なる。回転ノブ50が回転すると、調節ホイール62の外周面により調節シャフト60も回転し、ブロッキングチャンク30が押し出されブレード台20の軸方向に沿って移動する。好適には、調節ホイール62の外周面は頭部部分および少なくとも１つの側面部分を持ち、頭部部分からシャフトボディ61の軸線までの径方向距離は、少なくとも１つの側面部品からシャフトボディ61の軸線までの径方向距離より長い。加えて、調節ホイール62はさらに調節ホイール62の外周面の底部に形成され、底部から突出するとともに、屑箱10の背面ケーシング12にある制限リセス122内に保持された制限ブロック621を持っている。
【００１７】
好適な実施例に示すように、屑箱10は、搭載孔111の内部壁上に形成した４つの位置決め部品112を持っており、各位置決め部品112は空洞である。２つの指示部材113は屑箱10の外部表面上に導入され、一方の指示部材は鈍い先端形状であり、他方は鋭い先端形状である。回転ノブ50は２つの接続タブ53を持っており、各接続タブ53の係合部品532は突起であり、２つの接続タブ53の係合部品532は屑箱10の位置決め部品112と選択的に係合する。調節シャフト60の調節ホイール62の頭部部品は平らな表面で、調節ホイール62の少なくとも１つの側面部品の各々は曲がった表面となっている。平らな表面からシャフトボディ61の軸線Lまでの径方向距離R1は、少なくとも１つの曲がった表面の各々からシャフトボディ61の軸線Lまでの径方向距離R2より長い。
【００１８】
そのような配列で２つの作業ステージは設けられる。指示部材113の位置に応じて回転ノブ50を回転することにより、鉛筆先端に付与する２つの異なる削り効果を急激にシフトさせることができる。図５によれば、鈍い先端形状を持つ指示部材113と作業リブ51が揃うように回転ノブ50が回転すると、調節シャフト60が回転し、長い半径距離を持つ頭部部品をブロッキングチャンク30に当接させ押し出すことができる。従って、ブロッキングチャンク30は持ち上げられ、ブレード台20の鉛筆挿入孔21にさらに入ることが可能となる。削るために鉛筆が鉛筆挿入孔21に挿入されると、鉛筆の先端はブロッキングチャンク30とすぐに当接する。よって、鉛筆はさらに丸められて鈍い先端を形成する。図６によれば、作業リブ51を鋭い先端形状を持つ指示部材113と揃えるために回転ノブ50を反対に回転すると、回転シャフト60が回転し、短い半径距離を持つ頭部部品をブロッキングチャンク30に当接させ押し出すことが可能となる。従って、ブロッキングチャンク30は下がり、ブレード台20の鉛筆挿入孔21から遠ざかる。削るために鉛筆が鉛筆挿入孔21に挿入されると、鉛筆の先端はブロッキングチャンク30とあとで当接する。よって、鉛筆はさらに削られて鋭い先端を形成する。
【００１９】
前述した調節作業のいずれかが終了すると、回転ノブ50の接続タブ53上の係合部品532は、屑箱10内の位置決め部品112の２つと係合し、振動と音を発生する。これにより、ユーザーは調節作業が終了したことを気づくことができ、鉛筆を希望する鋭さに削ることが可能となる。加えて、屑箱10の制限リセス122の２つの端壁間で当接する調節シャフト60上の制限ブロック621により、回転ノブ50の回転範囲を制限することが可能となる。
【００２０】
本発明の構造および機能の詳細と合わせて、本発明の多くの特徴および利点が上記説明で述べられてきたが、本開示は単なる例証であり、詳細、特に形状、サイズおよび部品配置の件の変更は、本発明の趣旨内において、添付クレームで表現される広く概括的な用語の意味により示唆される程度まで行うことができる。
【図１】
2014008778.tif 000003
【図２】
2014008778.tif 000004
【図２Ａ】
2014008778.tif 000005
【図３】
2014008778.tif 000006
【図４】
2014008778.tif 000007
【図５】
2014008778.tif 000008
【図６】
2014008778.tif 000009
【図７】
2014008778.tif 000010